(57)【要約】【課題】強い筆記荷重で筆記しても筆記性能を損なうことなく、筆記芯の耐久性を更に向上させることができる筆記具を提供する。【解決手段】少なくとも、多孔体からなる筆記芯３０と硬質材料からなる保持体４０とから筆記部が構成される筆記具Ａであって、保持体４０からの筆記芯３０の先端側の突出量が０．６５ｍｍ以上、１．０５ｍｍ以下及び／又は筆記芯３０の厚さの４０％以上、６５％以下であることを特徴とする筆記具。【選択図】図２
2018034508.tif 000002
【特許請求の範囲】
【請求項１】
少なくとも、多孔体からなる筆記芯と、筆記芯を保持する保持体とから筆記部が構成される筆記具であって、保持体からの筆記芯の先端側の突出量が０．６５ｍｍ以上、１．０５ｍｍ以下であることを特徴とする筆記具。
【請求項２】
少なくとも、多孔体からなる筆記芯と、筆記芯を保持する保持体とから筆記部が構成される筆記具であって、保持体からの筆記芯の先端側の突出量が筆記芯厚さの４０％以上、６５％以下であることを特徴とする筆記具。
【請求項３】
少なくとも、多孔体からなる筆記芯と、筆記芯を保持する保持体とから筆記部が構成される筆記具であって、保持体からの筆記芯の先端側の突出量が０．６５ｍｍ以上、１．０５ｍｍ以下及び筆記芯厚さの４０％以上、６５％以下であることを特徴とする筆記具。
【請求項４】
保持体からの筆記芯の突出量が左右の保持体端面から異なることを特徴とする請求項１〜３の何れか１項に記載の筆記具。
【請求項５】
保持体は、筆記方向に対して反対側の保持体端面が筆記方向側の保持体端面より突出していることを特徴とする請求項１〜３の何れか１項に記載の筆記具。
【請求項６】
筆記芯は粒子径分布の異なる材料を組み合わせて構成されていることを特徴とする請求項１〜５の何れか１項に記載の筆記具。
【発明の詳細な説明】
【技術分野】
【０００１】
本発明は、筆記具軸体から供給されるインクを誘導し、かつ保溜できる筆記芯を有する筆記具に関し、更に詳しくは、一般に、ペイントマーカー、油性マーカー、水性マーカー、アンダーラインマーカーと呼ばれるタイプの筆記具に関する。
【背景技術】
【０００２】
従来、ペイントマーカー、アンダーラインマーカー等と称される筆記具は、幅広の筆記芯を備えることにより幅広の線引きを可能にしたものであって、マーキングの視認性や作業性に優れているため幅広く使用されている。
ラインマーカー等の筆記具における筆記芯は、一般に合成樹脂繊維等を棒状等に集束したものや、高分子の焼結体などの多孔質部材に毛細管作用を付与し、これにより筆記具本体となる軸体から供給されるインクをペン先に導出することにより筆記可能としたものである。
【０００３】
また、蛍光インクを筆記具本体となる軸体内に収容した筆記具の普及にともない、幅広の線引きを可能とした多くの構造、形状のペン先を有する筆記具が市販されたことにより、使用者の用途に応じた筆記具の広い選択が可能となり、その作業性も快適なものとなっている。
【０００４】
本出願人は、筆記具本体となる軸体から供給されるインクを誘導し、かつ保留できる筆記芯を有する筆記具において、ペン先に、筆記方向を視認できる可視部（窓）を備えた筆記具を開示している（例えば、特許文献１参照）。
このタイプの筆記具は、ペン先の可視部（窓）から筆記した文字が見えるから、チェックしたいところだけ、ピタッとはみ出さずにラインが引けるものである。具体的には、図１９（ａ）に示すように、筆記具本体となる軸体１内のインク吸蔵体１ａにインクを吸蔵させ、一端に細字タイプの筆記芯からなるペン体２と他端に太字タイプの筆記芯からなるペン体３を有し、インク吸蔵体１ａのインクをそれぞれペン体２及びペン体３に供給する構成となっている。図示符号１ｂ，１ｃはペン体２及びペン体３を保護するキャップである。また、後軸４に図１９（ｂ）にて示す太字タイプの筆記芯からなるペン体３が取り付けられている。このペン体３は、図１９（ｂ）に示すように、透明な支持部材となる保持体３ａの外周に、略Ｕ字状の多孔質部材からなるインク誘導部３ｂ，３ｂと筆記部３ｃとを有する筆記芯が取り付けられている。
【０００５】
また、本出願人による特許文献２にも、図２０（ａ）及び（ｂ）示すように、筆記具本体５内に収容されたインクを筆記具本体５に固着された先軸６、この先軸６に取り付けられた保持体７を介して筆記芯８で筆記する筆記具を開示している。
【０００６】
しかしながら、特許文献１及び特許文献２に開示された筆記具においては、強い筆記圧で筆記し続けると筆記芯に過度の荷重が持続することとなり、筆記芯の耐久性や筆記性能を損なうという課題があり、筆記性能を損なうことなく、更なる筆記芯の耐久性の向上、改善が切望されている。
【先行技術文献】
【特許文献】
【０００７】
【特許文献１】特開２０００−５２６８２号公報（特許請求の範囲、段落００１４，図７、図２４、図２５）
【特許文献２】特開２０１４−５０９６７号公報（図１等）
【発明の概要】
【発明が解決しようとする課題】
【０００８】
本発明は、上記従来の課題等に鑑み、これを解消しようとするものであり、強い筆記荷重で筆記しても、筆記性能を損なうことなく、筆記芯の耐久性を更に向上させることができる筆記具を提供することを目的とする。
【課題を解決するための手段】
【０００９】
本発明者は、上記従来の課題等を解決するために鋭意検討した結果、少なくとも多孔体からなる筆記芯と硬質材料からなる保持体とから筆記部が構成される筆記具において、保持体からの筆記芯の先端側の突出量を特定の範囲などとする構成により、上記目的の筆記具が得られることを見出し、本発明を完成するに至ったのである。
【００１０】
すなわち、本発明の筆記具は、少なくとも、多孔体からなる筆記芯と、筆記芯を保持する保持体とから筆記部が構成される筆記具であって、保持体からの筆記芯の先端側の突出量が０．６５ｍｍ以上、１．０５ｍｍ以下であることを特徴とする。
また、本発明の筆記具は、少なくとも、多孔体からなる筆記芯と、筆記芯を保持する保持体とから筆記部が構成される筆記具であって、保持体からの筆記芯の先端側の突出量が筆記芯厚さ
の４０〜６５％であることを特徴とする。
更に、本発明の筆記具は、少なくとも、多孔体からなる筆記芯と、筆記芯を保持する保持体とから筆記部が構成される筆記具であって、保持体からの筆記芯の先端側の突出量が０．６５ｍｍ以上、１．０５ｍｍ以下及び筆記芯厚さの４０〜６５％であることを特徴とする。
前記保持体からの筆記芯の突出量が左右の保持体端面から異なることが好ましい。
また、保持体は、筆記方向に対して反対側の保持体端面が筆記方向側の保持体端面より突出していることが好ましい。
更に、前記筆記芯は粒子径分布の異なる材料を組み合わせて構成されていることが好ましい。
【発明の効果】
【００１１】
本発明によれば、強い筆記荷重で筆記しても筆記性能を損なうことなく、保持体内面で筆記芯を押さえる構成となるため、筆記芯の破損を防ぐことができる耐久性に優れた筆記具が提供される。
また、保持体からの突出量を左右で異ならしめることでユーザーに合わせた筆記具を提供することができる。
更に、保持体は、筆記方向に対して反対側の保持体端面が筆記方向側の保持体端面より突出せしめることにより、右手で左から右側に筆記する方向に特に効果を有する筆記具が提供される。
更にまた、筆記芯を粒子径分布の異なる材料を組み合わせて構成することにより、芯折れなどをより防ぐことができ耐久性を更に向上させることができるものとなる。
【図面の簡単な説明】
【００１２】
【図１】本発明の筆記具の実施形態の一例を示すものであり、（ａ）は平面図、（ｂ）は正面図、（ｃ）は（ｂ）の中央縦断面図である。
【図２】図１の筆記具からキャップを取り外した状態を示すものであり、（ａ）は背面図、（ｂ）は平面図、（ｃ）は正面図、（ｄ）は（ｃ）の中央縦断面図、（ｅ）は左側面図である。
【図３】（ａ）及び（ｂ）は、図２の筆記具の筆記部側を背面側及び正面側から見た部分拡大斜視図である。
【図４】（ａ）〜（ｊ）は、図１の筆記具における筆記部（保持体に筆記芯を取り付けた状態）を示す各図面であり、（ａ）は背面側の前方から見た斜視図、（ｂ）は（ａ）の右側面図、（ｃ）は正面側の前方から見た斜視図、（ｄ）は背面図、（ｅ）は平面図、（ｆ）は正面図、（ｇ）は（ｆ）の中央縦断面図、（ｈ）は背面側の後方から見た斜視図、（ｉ）は（ｈ）の左側面図、（ｊ）正面側の後方から見た斜視図である。
【図５】（ａ）〜（ｊ）は、図１の筆記具における筆記部を構成する保持体を示す各図面であり、（ａ）は背面側の前方から見た斜視図、（ｂ）は（ａ）の右側面図、（ｃ）は正面側の前方から見た斜視図、（ｄ）は背面図、（ｅ）は平面図、（ｆ）は正面図、（ｇ）は（ｆ）の中央縦断面図、（ｈ）は背面側の後方から見た斜視図、（ｉ）は（ｈ）の左側面図、（ｊ）正面側の後方から見た斜視図である。
【図６】本発明の筆記具の実施形態の他例を示すものであり、（ａ）は平面図、（ｂ）は正面図、（ｃ）は縦断面図である。
【図７】図６の筆記具からキャップを取り外した状態を示すものであり、（ａ）は背面図、（ｂ）は平面図、（ｃ）は正面図、（ｄ）は（ｃ）の中央縦断面図、（ｅ）は左側面図である。
【図８】（ａ）及び（ｂ）は、図６の筆記具の筆記部側を背面側及び正面側から見た部分拡大斜視図である。
【図９】（ａ）〜（ｊ）は、図６の筆記具における筆記部（保持体に筆記芯を取り付けた状態）を示す各図面であり、（ａ）は背面側の前方から見た斜視図、（ｂ）は（ａ）の右側面図、（ｃ）は正面側の前方から見た斜視図、（ｄ）は背面図、（ｅ）は平面図、（ｆ）は正面図、（ｇ）は（ｆ）の中央縦断面図、（ｈ）は背面側の後方から見た斜視図、（ｉ）は（ｈ）の左側面図、（ｊ）正面側の後方から見た斜視図である。
【図１０】（ａ）〜（ｊ）は、図６の筆記具における筆記部を構成する保持体を示す各図面であり、（ａ）は背面側の前方から見た斜視図、（ｂ）は（ａ）の右側面図、（ｃ）は正面側の前方から見た斜視図、（ｄ）は背面図、（ｅ）は平面図、（ｆ）は正面図、（ｇ）は（ｆ）の中央縦断面図、（ｈ）は背面側の後方から見た斜視図、（ｉ）は（ｈ）の左側面図、（ｊ）正面側の後方から見た斜視図である。
【図１１】図１の筆記具における筆記部（保持体に筆記芯を取り付けた状態）の他例を示す各図面であり、（ａ）は背面図、（ｂ）は平面図、（ｃ）は（ｂ）の中央縦断面図である。
【図１２】図１の筆記具における筆記部（保持体に筆記芯を取り付けた状態）の他例を示す各図面であり、（ａ）は背面図、（ｂ）は平面図、（ｃ）は（ｂ）の中央縦断面図である。
【図１３】本発明の筆記具の実施形態の他例を示すものであり、（ａ）及び（ｂ）は、キャップを取り外した状態であり、（ａ）は前方側から見た斜視図、（ｂ）は（ａ）を１８０°展開した斜視図である。
【図１４】（ａ）は、図１３の筆記具の平面視中央縦断面図、（ｂ）は（ａ）の正面視中央縦断面図である。
【図１５】（ａ）〜（ｄ）は、図１３の筆記具における筆記部（保持体に筆記芯を取り付けた状態）の各図面であり、（ａ）は右側から見た斜視図、（ｂ）は左側からみた斜視図、（ｃ）は後方側から見た斜視図、（ｄ）は、底面側から見た斜視図である。
【図１６】（ａ）〜（ｅ）は、図１３の筆記具における筆記部（保持体に筆記芯を取り付けた状態）の各図面であり、（ａ）は正面図、（ｂ）は平面図、（ｃ）は底面図、（ｄ）左側面図、（ｅ）は右側面図である。
【図１７】（ａ）〜（ｈ）は、図１３の筆記具における筆記芯を取り付ける前の保持体の各図面であり、（ａ）は正面図、（ｂ）は平面図、（ｃ）中央縦断面図、（ｄ）は底面図、（ｅ）は前方側から見た斜視図、（ｆ）は前方側から見た斜視図、（ｇ）左側面図、（ｈ）は右側面図である。
【図１８】（ａ）〜（ｇ）は、図１３の筆記具の各図面であり、（ａ）は正面図、（ｂ）は平面図、（ｃ）は背面図、（ｄ）は底面図、（ｅ）は左側面図、（ｆ）は前方側から見た斜視図、（ｇ）は中央部側から見た斜視図である。
【図１９】従来の筆記具の一例を示すものであり、（ａ）は縦断面図、（ｂ）は筆記芯を保持体に取り付けた状態を示す部分正面図である。
【図２０】従来の筆記具の他例を示すものであり、（ａ）は前方側から見た斜視図、（ｂ）は後方側から見た斜視図である。
【発明を実施するための形態】
【００１３】
以下に、本発明の実施形態について図面を参照しながら詳しく説明する。
図１〜図５は、本発明の筆記具の実施形態の一例を示すものであり、図１（ａ）〜（ｃ）は筆記具の平面図、正面図、縦断面図であり、図２（ａ）〜（ｅ）は、図１の筆記具からキャップを取り外した状態を示す各図面、図３（ａ）及び（ｂ）は、図２の筆記具の筆記部側を背面側及び正面側から見た部分拡大斜視図である。
本実施形態の筆記具Ａは、図１〜図３に示すように、筆記具本体となる軸体（軸筒）１０、インク吸蔵体２０、筆記芯３０、保持体４０、キャップ５０を備えている。
【００１４】
軸体１０は、例えば、熱可塑性樹脂、熱硬化性樹脂等で形成されるものであり、図１（ｃ）に示すように、筆記具用インクを含浸したインク吸蔵体２０を収容する有底筒状の後軸１１と、ペン先となる筆記芯３０を取り付けた保持体４０を固着する先軸１５とを有している。
後軸１１は、例えば、ＰＰ等からなる樹脂を使用して有底筒状に成形され、筆記具の本体（軸体）として機能する。この後軸１１は、図１（ｃ）に示すように、後端側内部にインク吸蔵体２０の後端部を保持する保持片１２、１２…からなる保持部材１３が設けられており、後軸全体及び後述する先軸は不透明又は透明（及び半透明）に成形されるが、外観上や実用上の観点からいずれを採用しても良い。また、後軸１１の前方側に先軸１５が嵌合等により固着される構造となっている。
先軸１５は、後述する筆記芯３０を固定する保持体４０の本体部４１を固着する凸状の嵌合部１６が設けられている。この構造の先軸１５は、例えば、ＰＰ等からなる樹脂などで成形されるものである。
【００１５】
インク吸蔵体２０は、水性インク、油性インクなどの筆記具用インクを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したもの、また、スポンジ、樹脂粒子、焼結体等の多孔体を含むものである。このインク吸蔵体２０は、軸体１０の本体部となる後軸１１内に収容保持されている。
用いる筆記具用インクの組成は、特に限定されず、筆記具の用途等に応じて、好適な配合処方とすることができる。好ましくは、後述する筆記具用インク組成物を用いることが望ましい。
【００１６】
図４（ａ）〜（ｊ）は、図１の筆記具における筆記部（保持体に筆記芯を取り付けた状態）を示す各図面、図５（ａ）〜（ｊ）は、図１の筆記具における筆記部を構成する保持体を示す各図面である。
筆記芯３０は、図３（ａ）及び（ｂ）、図４（ａ）〜（ｊ）に示すように、断面が円形形状で、全体が略コ字型形状となるものであり、インク誘導部３１、３１と、該インク誘導部３１、３１からのインクを導出する筆記部３２とを備えたものであり、インク誘導部３１、３１と筆記部３２との角部は切り落とされたカット面部３３、３３とを有している。また、インク誘導部３１、３１の表面部には平滑面となるカット平滑面部３１ａが形成されている。
この筆記芯３０は、多孔体から構成されるものであり、例えば、気孔を有する多孔質で形成されたものが挙げられ、具体的には、スポンジ体、焼結体、繊維束体、発泡体、海綿体、フェルト体、ポーラス体などを挙げることができる。多孔体を形成する材料としては、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などを用いることができる。本実施形態では、各種のプラスチック粉末などを焼結した焼結体から構成されている。
【００１７】
筆記芯３０の幅方向の長さｔは、十分な筆記流量の確保を確保する点から、ｔは、好ましくは、０．５０ｍｍ以上、特に、１．００〜３．００ｍｍであることが望ましい。
筆記部３２は、筆記しやすい傾きとなるように、傾斜状（ナイフカット状）となっており、この傾き等は、筆記等の使い勝手に合わせて適宜設定される。また、この筆記部３２は、描線幅Ｗが太いものであり、好ましくは、描線幅Ｗは１ｍｍ以上、更に好ましくは、描線幅Ｗは２ｍｍ以上の描線幅となる筆記部が望ましい。
【００１８】
保持体４０は、図４（ａ）〜（ｊ）及び図５（ａ）〜（ｊ）に示すように、上記筆記芯３０を固定して、軸体１０の先軸１５先端開口部に固着されるものであり、膨出状の本体部４１と、該本体部４１の前方側に、フランジ部４２と、筆記方向を視認することができる可視部４３とを有すると共に、可視部４３の先端側に筆記芯３０の先端側（端面）を保持する前方保持部４４ａ，４４ｂとを有するものである。本実施形態では、前方保持部４４ａ，４４ｂの長手方向長さを異ならしめているもの、すなわち、筆記芯３０の先端側（端面）を保持する長さが長い前方保持部４４ａと短い前方保持部４４ｂとし、前方保持部４４ａの先端側の端部は筆記芯３０の先端側の端部と同じ位置（端部）にあり、前方保持部４４ｂは後述するように突出量（突出長さ分）だけ短い寸法となっている。
また、上記本体部４１の後方側に、上記本体部４１に連設される保持片４５を有する後方保持部４６とを備えたものである。これらの部材から構成される保持体４０の長手方向外周面全体には、上記コ字型状の筆記芯３０を嵌入保持する保持溝４６が形成されている。更に、本体部４１の幅方向外周面には、凹状の嵌合部４１ａが形成され、長手方向外周面となる両面空気流通溝には、それぞれ直線状の空気流通溝４１ｂと屈曲状の空気流通溝４１ｃが形成されている。
【００１９】
このように構成される保持体４０全体は、硬質材料で構成されており、例えば、視認性を有する硬質材料、例えば、金属、ガラス、ゴム弾性を有しない樹脂などから構成されるものである。視認可能となるゴム弾性を有しない樹脂としては、例えば、ＰＰ、ＰＥ、ＰＥＴ、ＰＥＮ、ナイロン（６ナイロン、１２ナイロン等の一般的なナイロン以外に非晶質ナイロン等を含む）、アクリル、ポリメチルペンテン、ポリスチレン、ＡＢＳ等の可視光線透過率が５０％以上の材料から成形により構成することにより、可視部４３で筆記方向に書いてある文字を有効に視認できることとなる。なお、可視部４３だけを視認性を有する材料で構成してもよい。なお、可視光線透過率は多光源分光測色計〔スガ試験機社製、（ＭＳＣ−５Ｎ）〕にて反射率を測定することで求めることができる。
また、保持体４０は、上記各材料の一種類、または、耐久性、視認性の更なる向上の点などから、２種類以上の材料を用いて構成してもよく、射出成形、ブロー成形などの各種成形法により成形することができる。
【００２０】
この筆記具Ａにおいて、上記筆記芯３０の保持体への固着（装着）は、保持溝４７に上記筆記芯３０を嵌入し、前方保持部４４ａ，４４ｂと保持片４５を有する後方保持部４６との保持により固着されることとなる。更に、筆記芯３０の固着（抜け止め）を確実にするために、接着剤による接着、溶着などを更に用いても良いものである。また、筆記芯３０の筆記部３２と接触する保持体４０の保持溝４６の接触面部に楔形状の非平滑面部を形成して更に上記筆記芯３０の保持体４０への固着を確実にしてもよいものである。本実施形態では、図４（ｇ）に示すように、上記楔形状の非平滑面部４８を形成している。
【００２１】
本実施形態では、図４（ｅ）及び（ｇ）に示すように、保持体４０からの筆記芯３０の先端側の突出量Ｙが０．６５ｍｍ以上、１．０５ｍｍ以下となっており、これにより強い筆記荷重で筆記しても筆記芯３０の先端側の突出量Ｙを極力保持体内面で筆記芯を押さえる構造となるため、筆記性能を損なうことなく、筆記芯の破損を防ぎ耐久性に優れるものとしている。突出量Ｙが、０．６５ｍｍよりも短いと、ペン体を寝かせて筆記する際に、保持体が接触し、筆記できなくおそれがあり、一方、突出量Ｙが、１．０５ｍｍよりも長いと、強い筆記荷重により、筆記性能を損なう可能性がある。なお、図４（ｇ）に示すＸは筆記芯幅であり、上記突出量Ｙは、上記０．６５ｍｍ以上、１．０５ｍｍ以下であると共に、筆記芯幅Ｘの５０％未満であることが好ましい。
【００２２】
また、本発明では、上記実施形態の他、保持体からの筆記芯の先端側の突出量Ｙを筆記芯の厚さｔの４０〜６５％とすることによっても、本発明の効果を発揮できることとなる。筆記芯の先端側の突出量Ｙを筆記芯の厚さｔの４０〜６５％（Ｙ／ｔが４０〜６５％）とすることにより、強い筆記荷重で筆記しても筆記芯３０の先端側の突出量Ｙが筆記芯の厚さとの関係から、筆記芯の強度を更に保持できると共に、突出量Ｙを極力保持体内面で筆記芯を押さえる構造となるため、更に筆記性能を損なうことなく、筆記芯の破損を防ぎ耐久性に優れるものとしている。より好ましくは、筆記芯３０の先端側の突出量Ｙは筆記芯厚さｔの４８〜５８％とすることが望ましい。この突出量Ｙが筆記芯の厚さｔの４０％未満であると、強い筆記荷重により、筆記性能を損なう可能性があり、一方、６５％超過であると、保持体が厚くなり、筆記の際に紙面が見にくくなる。なお、図８（ｇ）に示すＸは筆記芯幅Ｘであり、上記突出量Ｙは、上記筆記芯の厚さｔの４０〜６５％と共に、筆記芯幅Ｘの５０％未満（Ｙ／Ｘが５０％未満）であることが好ましい。
【００２３】
特に好ましい形態としては、保持体からの筆記芯の先端側の突出量Ｙを０．６５ｍｍ以上、１．０５ｍｍ以下及び筆記芯厚さｔの４０〜６５％とすることにより、更に本発明の効果を相乗的に発揮できるものとなる。
【００２４】
上記構成の筆記芯３０を固着した保持体４０（図４）を、先軸１５内に挿入すると、先軸１５の凸状の嵌合部１６に保持体４０の凹状の嵌合部４１ａが嵌合することにより、筆記芯３０は保持体４０を介して筆記具軸体１０に装着（固着）されると共に、筆記芯３０のインク誘導部３１、３１の後方側端部３１ａ、３１ａはインク吸蔵体２０の先端側内部に入り込む構成となっている。なお、インク吸蔵体２０の先端側内部にインク誘導部３１、３１の後方側端部３１ａ、３１ａを挿入する凹部を形成してもよい。また、軸体１０内の圧力等が増大にした際に、インク垂れ等がペン先から生じることがあるが、本実施形態の筆記具Ａでは、図３に示すように、空気流通溝４１ｂ，４１ｃを介して軸体１０内と外気とを調整している。
キャップ５０は、先軸１５の先端側外周面に嵌合等により着脱自在に取り付けられるものである。
【００２５】
本発明となる筆記具Ａでは、筆記具の軸体１０を構成する後軸１１内に筆記具用インクを吸蔵したインク吸蔵体２０を挿入して保持せしめ、先軸１５、筆記芯３０を嵌入保持等により固定した保持体４０を順次嵌合等により固着せしめることにより、簡単に筆記具Ａを作製することができ、インク吸蔵体２０に吸蔵されたインクは毛管力により筆記芯３０の筆記部３２に効率的に供給され、筆記に供されるものとなる。
【００２６】
このように構成される筆記具Ａでは、保持体４０からの筆記芯３０の先端側の突出量Ｙは、保持部が長い方で０．６５ｍｍ以上、保持部が短い方で１．０５ｍｍ以下となっており、筆記芯３０の先端側を保持する前方保持部４４ａ，４４ｂの長さを異ならしめること、具体的には、筆記芯３０の先端側（端面）を保持する長さが長い前方保持部４４ａと短い前方保持部４４ｂとなっているので、特に、右利きで左から右方向に筆記する際に、突出部（突出量）で描線を引くことなどができ、しかも、保持する長さが長い左側の前方保持部４４ａで筆記芯の突出部を確実に保持（保護）して強度を高めるので、この筆記芯３０の先端側（端面）を保持する長さが長い前方保持部４４ａと短い前方保持部４４ｂとの筆記部３２の保持構造、及び上記突出量Ｙの限定とにより、強い筆記荷重で筆記しても筆記芯３０の先端側の筆記性能を損なうことなく、極力保持体４０（４４ａ）内面で筆記芯を押さえる構造となるため、筆記芯３０の破損を防ぎ耐久性に優れる筆記具が提供されるものとなる。更に、本実施形態における保持体４０は、筆記方向に対して反対側の保持体４０端面が筆記方向側の保持体端面より突出せしめることにより、右手で左から右側に筆記する方向に特に効果を有する筆記具が提供される。なお、保持体４０の端面が前記と反対側に突出して形成された際は、左手で右から左側に筆記する方向又は右手で上から下側に筆記する方向に特に効果を有する筆記具が提供される。
【００２７】
また、上記筆記具Ａにおいて、保持体４０からの筆記芯３０の先端側の突出量Ｙを０．６５ｍｍ以上、１．０５ｍｍ以下とすることなく、筆記芯の厚さｔの４０〜６５％とすることによっても、本発明の効果を発揮できることとなる。すなわち、この実施形態でも、筆記芯の先端側の突出量Ｙを筆記芯の厚さｔの４０〜６５％とすることにより、強い筆記荷重で筆記しても筆記芯３０の先端側の突出量Ｙが筆記芯の厚さとの関係から、筆記芯の強度を更に保持できると共に、突出量Ｙを極力保持体内面で筆記芯を押さえる構造となるため、更に筆記性能を損なうことなく、筆記芯の破損を防ぎ耐久性に優れる筆記具が提供されるものとなる。
更に、これらの筆記具Ａは、上述の如く、筆記芯３０を固着した保持体４０が、視認性を有する材料で構成されているので、当該保持体４０の可視部４３が、筆記方向を視認できる視認部となるものであり、筆記方向に書いてある文字を確実に読むことができる十分な視認性が付与することができると共に、終筆まで使用可能な筆記具が提供されるものとなる。
【００２８】
図６〜図１０は、本発明の筆記具の実施形態の他例を示すものであり、図６〜図１０の図面は図１〜図５と同様の各図面である。図１〜図５の上記実施形態の筆記具において同様の構成は、図６〜図１０の筆記具の図面において上記実施形態の図示符号と同一符号を用いてその説明を省略する。
本実施形態の筆記具Ｂは、筆記芯３０において、カット平滑面部３１ａを有しない点、
また、保持体４０からの筆記芯３０の突出量Ｙが左右の保持体４０端面から異なる点（突出量Ｙが長いものをＹ、短いものをＹ´としている点）、すなわち、筆記芯３０の先端側（端面）を保持する前方保持部４４ａ，４４ｂの長さが逆となる点、具体的には、前方保持部４４ａを短くし、前方保持部４４ｂを長くし、しかも、前方保持部４４ａ、４４ｂの先端側の端部は筆記芯３０の先端側の端部と同じ位置（端部）に合わせていない点、筆記芯３０のインク誘導部３１、３１の後方側端部３１ａ、３１ａの長さが同じでなく、長いものと短いものとに形成している点で、図１〜図５の実施形態の筆記具と異なるものである。
本実施形態では、図７（ｅ）及び（ｇ）に示すように、保持体４０からの筆記芯３０の先端側の突出量Ｙは左右（図面上では上下）で異なるが、本発明では大きい方の突出量をＹとするものであり、上記実施形態と同様に突出量Ｙが０．６５ｍｍ以上、１．０５ｍｍ以下及び／又は筆記芯厚さｔの４０〜６５％とする構成となっている。
【００２９】
図６〜図１０の本実施形態では、右利きで左から右方向（横方向）に筆記する際、更に、筆記せしめる紙面の方向等を変えることなく、そのまま縦方向に筆記する際にも、突出部（突出量Ｙ）で描線を引くことなどができ、しかも、長さが異なる前方保持部４４ａ、４４ｂとで構成しているので、確実に筆記芯の先端側を保持（保護）できるので、強い筆記荷重で筆記しても筆記芯３０の先端側で、極力保持体内面で筆記芯を押さえる構造となるため、筆記性能を損なうことなく、上記図１〜図５の実施形態の筆記具と同様に、筆記芯の破損を防ぎ耐久性に優れる筆記具が提供されるものとなる。
【００３０】
〔筆記用インク組成物の説明〕
次に、上記図１〜図５の実施形態、図６〜図１０の他の実施形態、更に後述する図１１、図１２の各筆記具、並びに、図１３〜図１８の筆記具に使用する筆記用インク組成物を説明する。
用いることができるインク吸蔵体２０に吸蔵する筆記具用インク組成物としては、特に限定されるものでないが、インク供給を良好とする点、筆記部（ペン先）の乾燥を抑えながらも、描線の乾燥性、インクの低温安定性に優れ、描線に滲みや裏抜けのない機能を発現することなどの点から、好ましくは、着色剤と、トリメチルグリシンと、ペンタエリスリトールと、１０質量％以下の水溶性有機溶剤と、水とを少なくとも含有する筆記具用インク組成物の使用が望ましい。
【００３１】
用いることができる着色剤としては、水に溶解もしくは分散する染料、酸化チタン等の従来公知の無機系および有機顔料系、顔料を含有した樹脂粒子顔料、樹脂エマルションを染料で着色した疑似顔料、蛍光顔料、白色系プラスチック顔料、シリカや雲母を基材とし表層に酸化鉄や酸化チタンなどを多層コーティングした顔料等を本発明の効果を損なわない範囲で使用することができる。
染料としては、例えば、エオシン、フオキシン、ウォーターイエロー＃６−Ｃ、アシッドレッド、ウォーターブルー＃１０５、ブリリアントブルーＦＣＦ、ニグロシンＮＢ等の酸性染料；ダイレクトブラック１５４、ダイレクトスカイブルー５Ｂ、バイオレットＢ００Ｂ等の直接染料；ローダミン、メチルバイオレット等の塩基性染料、蛍光染料などが挙げられる。
【００３２】
無機系顔料としては、例えば、アゾレーキ、不溶性アゾ顔料、キレートアゾ顔料、フタロシアニン顔料、ペリレンおよびペリノン顔料、ニトロソ顔料などが挙げられる。より具体的には、カーボンブラック、チタンブラック、亜鉛華、べんがら、アルミニウム、酸化クロム、鉄黒、コバルトブルー、酸化鉄黄、ビリジアン、硫化亜鉛、リトポン、カドミウムエロー、朱、カドミウムレッド、黄鉛、モリブデードオレンジ、ジンククロメート、ストロンチウムクロメート、ホワイトカーボン、クレー、タルク、群青、沈降性硫酸バリウム、バライト粉、炭酸カルシウム、鉛白、紺白、紺青、マンガンバイオレット、アルミニウム粉、真鍮粉等の無機顔料、Ｃ．Ｉ．ピグメントブルー１７、Ｃ．Ｉ．ピグメントブルー１５、Ｃ．Ｉ．ピグメントブルー１７、Ｃ．Ｉ．ピグメントブルー２７、Ｃ．Ｉ．ピグメントレッド５、Ｃ．Ｉ．ピグメントレッド２２、Ｃ．Ｉ．ピグメントレッド３８、Ｃ．Ｉ．ピグメントレッド４８、Ｃ．Ｉ．ピグメントレッド４９、Ｃ．Ｉ．ピグメントレッド５３、Ｃ．Ｉ．ピグメントレッド５７、Ｃ．Ｉ．ピグメントレッド８１、Ｃ．Ｉ．ピグメントレッド１０４、Ｃ．Ｉ．ピグメントレッド１４６、Ｃ．Ｉ．ピグメントレッド２４５、Ｃ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１７、Ｃ．Ｉ．ピグメントイエロー３４、Ｃ．Ｉ．ピグメントイエロー５５、Ｃ．Ｉ．ピグメントイエロー７４、Ｃ．Ｉ．ピグメントイエロー９５、Ｃ．Ｉ．ピグメントイエロー１６６、Ｃ．Ｉ．ピグメントイエロー１６７、Ｃ．Ｉ．ピグメントオレンジ５、Ｃ．Ｉ．ピグメントオレンジ１３、Ｃ．Ｉ．ピグメントオレンジ１６、Ｃ．Ｉ．ピグメントバイオレット１、Ｃ．Ｉ．ピグメントバイオレット３、Ｃ．Ｉ．ピグメントバイオレット１９、Ｃ．Ｉ．ピグメントバイオレット２３、Ｃ．Ｉ．ピグメントバイオレット５０、Ｃ．Ｉ．ピグメントグリーン７等が挙げられる。
蛍光顔料としては、従来公知のものが適宜使用でき、例えば、硫化亜鉛、ケイ酸亜鉛、硫化カドミウム、硫化ストロンチウム、タングステン酸カルシウム等の無機蛍光顔料や高分子化合物を染色した有機蛍光顔料が挙げられる。
有機蛍光顔料としては、具体的には、ＮＫＷシリーズ（日本蛍光化学社製）、シンロイヒカラーベースＳＷシリーズ、ＳＦシリーズ（シンロイヒ社製）、ビクトリアイエローＧ−２０などのビクトリアシリーズ（御国色素社製）等が挙げられる。
【００３３】
これらの着色剤は、一種もしくは二種以上を混合して使用することができる。
これらの着色剤の含有量は、インク組成物全量に対して、０．１〜６０質量％（以下、「質量％」を単に「％」という）で適宜調整することが可能である。
【００３４】
用いるトリメチルグリシン〔別名：グリシンベタイン、（ＣＨ３）２Ｎ＋（ＣＨ３）ＣＨ２ＣＯＯ−〕は、保湿剤等として作用せしめるために用いるものであり、筆記
具用水性インク組成中に配合してもインキ性能の低下等を招くことがなく、ペン先の耐乾
燥性、描線の乾燥性、インクの低温安定性を発揮せしめるものである。
【００３５】
このトリメチルグリシンの含有量は、インク組成物全量に対して、０．５〜５０％、好ましくは、１〜１５％、より好ましくは、２〜１０％とすることが望ましい。
この含有量が０．５％未満であると、ペン先の乾燥抑制効果が充分でなく、一方、５０％超過であると、効果はそれほど変わらず、むしろ粘度増加による筆記性能、保存安定性の低下をもたらすこととなる。
【００３６】
用いるペンタエリスリトール〔Ｃ（ＣＨ２ＯＨ）４〕は、保湿剤等として作用せしめるために用いるものであり、上記トリメチルグリシンとの併用により、各単独使用よりも、相乗的に作用して、ペン先の乾燥を抑えながらも、従来にない描線の乾燥性、インクの低温安定性に優れ、描線に滲みや裏抜けのない優れた性能を発揮せしめるものとなる。
【００３７】
このペンタエリスリトールの含有量は、インク組成物全量に対して、０．５〜８％、好ましくは、２〜５％とすることが望ましい。
この含有量の含有量が０．５％未満であると、ペン先の乾燥抑制効果が充分でなく、また、トリメチルグリシンとの相乗作用を発揮することができず、一方、８％超過であると、トリメチルグリシンとの相乗作用の効果はそれほど変わらず、低温下における析出や、保存安定性の低下をもたらすこととなる。
【００３８】
用いる水溶性有機溶剤としては、例えば、エタノール、イソプロピルアルコール、ｎ−ブチルアルコール、エチレングリコール、ジエチレングリコールなどのアルコール類、ホルムアミドおよびその誘導体などのアミド類、ジメチルスルホキシドなどのスルホキシド類など、エチレングリコールモノメチルエーテル、エチレングリコールモノブチルエーテル、エチレングリコールジブチルエーテル、ジエチレングリコールモノメチルエーテル、ジエチレングリコールモノエチルエーテル、ジエチレングリコールモノブチルエーテル、ジエチレングリコールジエチルエーテル、ジエチレングリコールジブチルエーテル、プロピレングリコールメチルエーテル、ジプロピレングリコールメチルエーテル、トリプロピレングリコールメチルエーテル、プロピレングリコールブチルエーテル、ジプロピレングリコールｎ−ブチルエーテル、トリプロピレングリコールｎ−ブチルエーテル、プロピレングリコールフェニルエーテル、エチレングリコールモノエチルエーテル、エチレングリコールモノヘキシルエーテル、エチレングリコールモノフェニルエーテル、エチレングリコールモノ−２−エチルブチルエーテル、プロピレングリコールエチルエーテル、プロピレングリコールターシャリーブチルエーテルなどのエーテル類が挙げられ、これらは一種もしくは二種以上を混合して使用することができる。
これらの水溶性有機溶剤の含有量は、インク組成物全量に対して、１０％以下、好ましくは、７％以下、より好ましくは５％以下とすることが望ましい。
これらの水溶性有機溶剤の含有量を１０％以下とすることにより、描線乾燥性に優れた機能を発揮せしめるものとなる。
【００３９】
本発明の筆記具に用いる筆記具用インク組成物は、上記各成分の他、残部（溶媒）として水（精製水、蒸留水、イオン交換水、純水など）で調製され、上記各成分以外にも、例えば、界面活性剤、防腐剤や防菌剤、ｐＨ調整剤、水溶性樹脂、樹脂エマルションなどの任意成分を本発明の効果を損なわない範囲で適宜含有せしめることができる。
【００４０】
用いることができる界面活性剤としては、例えば、ソルビタン脂肪酸エステル、グリセリン脂肪酸エステル、デカグリセリン脂肪酸エステル、ポリグリセリン脂肪酸エステル、ポリオキシエチレンソルビタン脂肪酸エステル、ポリオキシエチレンソルビット脂肪酸エステル、ポリオキシエチレングリセリン脂肪酸エステル、ポリエチレングリコール脂肪酸エステル、ポリオ キシエチレンアルキルエーテル、ポリオキシエチレンポリオキシプロピレンアルキルエーテル、ポリオキシエチレンアルキルフェニルエーテル、ポリオキシエチレンヒマシ油、ポリオキシエチレンラノリン・ラノリン・アルコール・ミツロウ誘導体、ポリオキシエチレンアルキルアミン・脂肪酸アミドなどの非イオン性界面活性剤；、アルキル硫酸塩、ポリオキシエチレンアルキルエーテル硫酸塩、Ｎ‐アシルアミノ酸塩、Ｎ‐アシルメチルタウリン塩、ポリオキシエチレンアルキルエーテル酢酸塩、α‐オレフィンスルホン酸塩、アルキルリン酸塩、ポリオキシエチレンアルキルエーテルリン酸塩などの陰イオン性界面活性剤；、パーフルオロアルキルエチレンオキサイド付加物、パーフルオロアルキルトリメチルアンモニウム塩、パーフルオロアルキルカルボン酸塩、フッ素化アルキルエステル、パーフルオロアルキルスルホン酸塩、パーフルオロアルキル基親水性基含有オリゴマー、パーフルオロアルキル基親水性基含有ウレタン、パーフルオロアルキルリン酸エステル、パーフルオロアルキルベタイン、パーフルオロアルキルアミンオキサイド、パーフルオロアルキルアンモニウム 塩、パーフルオロアルキルアルコキシレート、パーフルオロアルキルポリオキシエチレンエタノールなどのフッ素系界面活性剤を挙げることができる。これらの界面活性剤は、一種もしくは二種以上を混合して使用することができる。
また、防腐剤もしくは防菌剤としては、フェノール、ナトリウムオマジン、安息香酸ナトリウム、ベンズイミダゾール系化合物などが挙げられる。
ｐＨ調整剤としては、水酸化ナトリウム、水酸化カリウム、水酸化リチウム等のアルカリ金属の水酸化物、トリエタノールアミン、ジエタノールアミン、モノエタノールアミン、ジメチルエタノールアミン、モルホリン、トリエチルアミン等のアミン化合物、アンモニア等が挙げられる。
水溶性樹脂としては、例えば、ポリアクリル酸、水溶性スチレン −アクリル樹脂、水溶性スチレン・マレイン酸樹脂、水溶性マレイン酸樹脂、水溶性スチレン樹脂、ポリビニルピロリドン、ポリビニルアルコ−ル、水溶性エステル−アクリル樹脂、エチレン−マレイン酸共重合体、ポリエチレンオキサイド、水溶性ウレタン樹脂等などが挙げられる。
樹脂エマルションとしては、例えば、アクリル系エマルション、酢酸ビニル系エマルション、ウレタン系エマルション、スチ レン−ブタジエンエマルション、スチレンアクリロニトリルエマルションなどが挙げられる。
これらの水溶性樹脂および樹脂エマルションは、一種もしくは二種以上を混合して使用することができる。
【００４１】
この筆記具用インク組成物を製造するには、従来から知られている方法が採用可能であり、例えば、着色剤と、トリメチルグリシンと、ペンタエリスリトールと、１０質量％以下の水溶性有機溶剤と、水とを少なくとも含み、水性における各成分などを所定量配合し、ホモミキサー、もしくはディスパー等の攪拌機により攪拌混合することによって得られる。更に必要に応じて、ろ過や遠心分離によってインク組成物中の粗大粒子を除去してもよく、また、脱泡、加熱、冷却しながら作製してもよいものである。
【００４２】
このように構成される本発明の筆記具に用いる筆記具用インク組成物が、何故、ペン先の乾燥を抑えながらも、描線の乾燥性、インクの低温安定性に優れ、描線に滲みや裏抜けのない機能を発現するのかは下記のように推測することができる。
すなわち、本発明の筆記具に用いる筆記具用インク組成物では、着色剤と、トリメチルグリシンと、ペンタエリスリトールと、１０質量％以下の水溶性有機溶剤と、水とを少なくとも含有することにより、共に、トリメチルグリシンと、ペンタエリスリトールとがペン先の耐乾燥性を抑える成分となるものであり、これらの各単独使用よりも、筆記具用水性インク組成中で併用することにより、相乗的に作用していることは明らかである。その理由は必ずしも明らかではないが、相乗効果によりペン先の乾燥を抑えながらも、描線の乾燥性、インクの低温安定性に優れ、描線に滲みや裏抜けのない優れた性能を発揮せしめるものと推測される。
本発明に用いる筆記具用インク組成物は、上記効果を発揮せしめる持続効果が極めて優れており、しかも、その効果の発現期間・持続時間も長く、更にトリメチルグリシンとペンタエリスリトールは水溶性であるために経時的な安定性にも優れたものとなる。
従って、本発明の筆記具に上記組成の筆記用インク組成物を用いることにより、強い筆記荷重で筆記しても筆記芯３０の先端側の筆記性能を損なうことなく、極力保持体内面で筆記芯を押さえる構造となるため、筆記芯の破損を防ぎ耐久性に優れると共に、筆記具が保持体の視認性から当該筆記具を持って筆記する際に、筆記対象部位を見ながら筆記部分をより鮮明にすることができ、しかも、筆記部（ペン先）の乾燥を抑えながらも、描線の乾燥性、インクの低温安定性に優れ、描線に滲みや裏抜けのない機能を発現することができる筆記具が得られることになる。
【００４３】
図１１、図１２は、それぞれ本発明の筆記具の実施形態の他例を示すものであり、図１〜図５の筆記具の図面において相違する部分のみを部品図面として示したものである。
図１〜図５の上記実施形態の筆記具において同様の構成は、同一符号を用いてその説明を省略する。
図１１の筆記具は、筆記芯３０において、筆記芯３０の先端側（端面）を保持する前方保持部４４ａ，４４ｂの長さが同じとなる点でのみ、図１〜図５の実施形態の筆記具と異なるものである。
本実施形態においても、上記実施形態と同様に突出量Ｙが保持体からの筆記芯の先端側の突出量が０．６５ｍｍ以上、１．０５ｍｍ以下及び／又は筆記芯厚さの４０〜６５％となっており、上記図１〜図５の筆記具と同様に、強い筆記荷重で筆記しても筆記芯３０の先端側を極力保持体内面で筆記芯を押さえる構造などとなるため、筆記性能を損なうことなく、筆記性能を損なうことなく、筆記芯の破損を防ぎ耐久性に優れる筆記具が提供されるものとなる。
【００４４】
図１２の筆記具は、筆記芯３０において、筆記芯３０の先端側（端面）を保持する前方保持部４４ａ，４４ｂの長さが同じとなる点（図１１と同様）、並びに、筆記芯３０の粒子径分布の異なる材料を組み合わせて構成されている点で異なるものである。
筆記芯３０を粒子径分布の異なる材料を組み合わせて構成する形態としては、例えば、筆記芯３０が焼結芯の場合に、例えば、粒子径が異なるプラスチック粒子（共にＰＥ粒子）を用いることにより、具体的には、粒子径が小さいものを筆記部３２に使用し、粒子径が大きいものをインク誘導部３１、３１に用いて筆記芯（焼結芯）３０とすれば、筆記部３２の強度をより向上させることができる。
なお、上記筆記芯３０を上記態様（粒子径分布の異なる材料を組み合わせて構成）に変更しても、インク吸蔵体１２からの筆記部３２へのインク供給機構を損なうことなく、インク切れを起こすことなく、好適な量となるインク供給がなされるように設定されるものである。
【００４５】
本実施形態においても、上記実施形態と同様に突出量Ｙが０．６５ｍｍ以上、１．０５ｍｍ以下及び／又は筆記芯厚さｔの４０〜６５％となっており、しかも、筆記芯３０を粒子径分布の異なる材料を組み合わせによる構成、好ましくは、筆記部３２の強度をインク誘導部３１、３１の強度よりも大きくする構成とすれば、上記図１１の筆記具よりも、強い筆記荷重で筆記しても筆記芯３０の先端側の筆記性能を損なうことなく、極力保持体内面で筆記芯を押さえる構造となるため、筆記芯の破損を防ぎ耐久性に優れる筆記具が提供されるものとなる。
更に、上記図１１の実施形態において、インク誘導部３１、３１と筆記部３２との境界部（強度の境界部Ｚ１）を更に確実に保護するために、図１２（ｃ）に示すように、強度を増加した強度幅Ｚ（最大Ｚ＝Ｘ）を突出量Ｙよりも大きくし（Ｚ＞Ｙ）、境界部Ｚ１が前方保持部４４ａ，４４ｂの内部で保持（保護）して、筆記部３２を含む筆記芯３０の耐久性を更に向上させてもよいものである。好ましくは、強度幅Ｚ（＝Ｘ）は（１．０×最小Ｙ）≦Ｚ≦（３．０×最大Ｙ）、より好ましくは（１．０×最大Ｙ）≦Ｚ≦（２．０×最大Ｙ）とすることが望ましい。なお、Ｚ≦Ｙであると、上記インク誘導部３１、３１と筆記部３２との境界部（強度の境界部Ｚ１）を前方保持部４４ａ，４４ｂの内部で保護されず、筆記芯３０の設計強度等に依存することとなる。
【００４６】
図１３〜図１８は、本発明の筆記具の実施形態の他例を示す各図面である。
本実施形態の筆記具Ｃは、筆記具本体（軸部）となる軸筒が有底楕円筒形（楕円軸）である点、筆記芯となる多孔体とインク誘導芯が一体となった点等で上記実施形態の筆記具Ａ，Ｂなどと相違するものである。
本実施形態の筆記具Ｃは、マーキングペンタイプの筆記具であり、図１３、図１４に示すように、筆記具本体（軸部）となる軸筒５０、インク吸蔵体６０、インク誘導芯７０、ペン先８０を備えている。
軸筒５０は、例えば、熱可塑性樹脂、熱硬化性樹脂、ガラス等で形成されるものであり、筆記具用インクを含浸したインク吸蔵体６０を収容する有底筒状の後軸５１と、ペン先８０を固着する先軸５５とを有している。
【００４７】
後軸５１は、例えば、ポリプロピレン等からなる合成樹脂を使用して長い有底楕円筒形（楕円軸）に成形され、筆記具本体として機能する。この後軸５１は、後端側内部にインク吸蔵体６０の後端部を保持する保持片からなる保持部材５２が設けられており、後軸全体及び後述する先軸は不透明又は透明（及び半透明）に成形されるが、外観上や実用上の観点からいずれを採用しても良い。また、後軸５１の開口部５３に先軸５５が嵌合等により固着される構造となっている。
【００４８】
先軸５５は、後方側に後軸５１の開口部５３に嵌合する環状の嵌合部５６と、前方側に肩部５７、ペン先８０の本体部８２を固着する筒状の嵌入部５８とを有すると共に、上記嵌合部５６内にはインク吸蔵体６０の前端部を保持する保持片からなる保持部材５９が設けられている。上記嵌入部５８の内周面上の後端側に嵌合部５８ａが設けられている。この構造の先軸５５は、例えば、ポリプロピレン等からなる合成樹脂などで成形されるものである。
【００４９】
インク吸蔵体６０は、水性インク、油性インク、熱変色性インクなどの筆記具用インクを含浸したものであり、その材質などは上述したインク吸蔵体２０と同様であるのでその説明を省略する。このインク吸蔵体６０は、軸筒５０の後軸５１内に収容されている。
また、インク吸蔵体６０に含浸されるインク組成は、特に限定されず、例えば、水性インクでは、ペン先の乾燥を抑えながらも、描線の乾燥性、インクの低温安定性に優れ、描線に滲みや裏抜けのない筆記具用水性インク組成物として、上述した、少なくとも、着色剤と、トリメチルグリシン０．５〜５０質量％と、ペンタエリスリトール０．５〜８質量％と、１０質量％％以下の水溶性有機溶剤と、水とを含有するインク組成などが挙げられる。
更に、消し具等を用いて摩擦熱等により筆記描線を消色できる熱変色性のインク組成物では、擦る回数を減らし、かつ手に過度の負担をかけること無く確実に消色できるものとして、ロイコ色素、顕色剤及び変色温度調整剤を少なくとも含む熱変色性マイクロカプセル顔料と、平均粒子径が５０〜１０００ｎｍの範囲の二酸化チタン、シリカ粒子、シリコーン樹脂粒子から選ばれる少なくとも１種の粒子とを含有し、上記熱変色性マイクロカプセル顔料がインク組成物全量に対して５〜３０質量％であると共に、上記粒子の含有量が熱変色性マイクロカプセル顔料１に対して、質量比で０．１〜２であり、かつ、上記熱変色性マイクロカプセル顔料と上記粒子の合計含有量がインク組成物全量に対して６０質量％以下であるインク組成などが挙げられる。なお、平均粒子径は、粒度分析計〔マイクロトラックＨＲＡ９３２０−Ｘ１００（日機装社製）〕にて求めることができる。また、消し具は、ＪＩＳ  Ｋ  ６２５３に規定されるデュロメータＡタイプによる測定で９０以下の材料を軸筒の後端又はキャップの頂部に設けることが好ましい。
【００５０】
インク誘導芯７０は、先端に筆記部となる多孔体７１を一体に有するものであり、該筆記部となる多孔体７１はペン先８０の保持体９５に固着されてインク吸蔵体６０からのインクを直接筆記部となる多孔体７１に供給される構成となるものであり、インク誘導芯７０部分はインク吸蔵体６０の前方側の挿入部６１に嵌入する構造となる。本実施形態では、インク誘導芯７０と筆記部となる多孔体７１とが別部材とならず一体構成となるものである。
このインク誘導芯７０と筆記部となる多孔体７１の一体構成は、インク吸蔵体６０と同様に繊維束、フェルト等の繊維束を加工した繊維束芯、または、硬質スポンジ、樹脂粒子焼結体等からなる樹脂粒子多孔体、スライバー芯等の連続気孔を有するものである。このインク誘導芯７０等の形状、構造等は特に限定されるものでなく、例えば、インク誘導芯７０の断面形状としては、例えば、円形、楕円形、正方形、長方形、台形、平行四辺形、ひし形、これ以外の方形形状、カマボコ形、半月形の形状などが挙げられ、好ましくは、インク誘導芯７０の形状を筆記方向が視認できる視認部側を側面と同じ若しくは小さくすることが好ましく、更に好ましくは、直方形状又は楕円形状とし、溝部のある側を短軸側とすることでインク誘導部９０の視認性を妨げることなく、インク流量を確保することができる。
【００５１】
ペン先８０は、図１３〜図１６に示すように、インク誘導芯７０と一体となる筆記部（ペン芯）となる多孔体７１を備えると共に、該多孔体７１を保持し、筆記部にインクを供給するための上記インク誘導芯７０を配設した筒状のインク誘導部９０を有する保持体９５とを備え、該保持体９５には後方側にインク誘導芯７０が挿入される筒状部８１を有する本体部８２が連設されている。この本体部８２の外周面には、フランジ部８３が設けられている。このフランジ部８３の底面側には切欠段部８４が設けられている。
また、ペン先８０の本体部８２の外周面上には、先軸５５の嵌入部５８に設けた嵌合部５８ａに嵌合するための嵌合突部８２ａが設けられている。
【００５２】
筆記部となる多孔体７１は、保持体９５の先端部に固着されるものであり、インク誘導芯７０と一体となるものであり、これらは、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる並行繊維束、フェルト等の繊維束を加工又はこれらの繊維束を樹脂加工した繊維芯、または、各種のプラスチック粉末などを焼結したポーラス体（焼結芯）などから構成される。
【００５３】
この筆記部となる多孔体７１部分の形状としては、例えば、外観形状がチゼル形状、砲弾形状、円柱、楕円柱、立方体、直方体などの形状が挙げられ、また、その断面形状が台形、平行四辺形、ひし形、カマボコ形、半月形等となる形状が挙げられ、本実施形態では、チゼル形状となっている。チゼル形状とは、先端がペン軸の中心線に対して傾斜面を形成しており、傾斜面が平坦である形状である。
また、筆記部となる多孔体７１は、筆記しやすい傾きとなるように、好ましくは、本体軸の長軸方向に対して、４０〜９０°の角度で傾いていることが望ましく、本実施形態では、７５°の傾きとなっている。
これらの筆記部となる多孔体７１の形状、傾き等は、筆記等の使い勝手に合わせて適宜設定される。また、筆記部となる多孔体７１は、描線幅が太いものであり、好ましくは、描線幅Ｗ２ｍｍ以上、更に好ましくは、描線幅３ｍｍ以上の描線幅となる筆記部である。
【００５４】
上記保持体９５内部には、筆記部にインクを供給するためのインク誘導部９０を少なくとも１つ有するものであり、本実施形態では、視認部の面積比率を最大限に発揮せしめる点、筆記部となる多孔体７１に効率的にインクを供給する点から、長手方向の略中央部にインク誘導部９０が貫通する形で１本配置されている。
このインク誘導部９０の形状、大きさ、本数等は、筆記具本体に含まれるインク吸蔵体６０に含浸されたインクが上記筒状部８１及びインク誘導部９０内に配設したインク誘導芯７０、インク誘導芯７０の先端に一体に設けた筆記部となる多孔体７１へ毛管作用により効率よくインク供給できる構造等となるものであれば、その形状、構造、大きさ、本数などは適宜選択することができる。
【００５５】
特に、インク誘導芯７０に十分な筆記流量とインク誘導部９０を介しての視認性を確保する点から、インク誘導部９０の軸線方向の長さが３ｍｍ以上とすることが望ましい。また、保持体９５内部にインク誘導部９０の断面積の合計が３ｍｍ２以上であることが望ましい。
このインク誘導部９０の形状は、長軸方向である筆記部８５側に向かって直線が望ましいが、テーパーが形成されていてもよく、また、本体軸の長軸方向に対して０〜３０°の向きで、２本以上の複数本でもよいが、１本のみ設けられていることが望ましい。
【００５６】
本実施形態では、インク誘導芯７０とインク誘導部９０間には、隙間９１があり隙間９１を形成した状態で筆記部となる多孔体７１に接続した形態となるものである。これにより、隙間９１からインクで満たされている構成とし、インク誘導芯７０によるインク供給と、隙間９１の毛管作用（直液作用）によるインクによるインク供給とを組み合わせることで、インク残量の視認ができ、また、インク切れを起こしても暫くは筆記を継続することができるので、外観をきれいに見せることができ、品質の安定化を確保でき、しかも、空気の逃げ道の確保ができる構成となっている。
なお、上記インク誘導芯７０とインク誘導部９０間に隙間を形成することなく、インク誘導部９０内にインク誘導芯７０が密着状態（密封）であってもよく、この場合でも、外観をきれいに見せることができ、インク吸蔵体６０のインクをペン先９０の保持体９５に固着されるインク誘導芯７０と一体で構成される筆記部となる多孔体７１に効率よく、好適なインク量を効率よく供給できるものである。
【００５７】
上記保持体９５のインク誘導芯７０が配設されたインク誘導部９０以外の全体が視認部を形成する構造となるものであり、その外形面は筆記方向を有効に視認するために、４面（正面、背面、各側面）は略平行面となっている。
また、上記保持体９５の上部側の両側面に、筆記部となる多孔体８５を保持する保持する長さが相違するリブ体９８ａ、９８ｂが設けられると共に、該リブ体間には多孔体８５の底面と当接する底面部９９が設けられている。この底面部の中央部にはインク誘導部９０の出口が形成されている。更に、上記リブ体の一方の端面に多孔体８５の前端面が当接する当接部９９ａが設けられている。
【００５８】
この本体部８２を含む保持体９５は、視認性を有する材料、例えば、ポリプロピレン、ポリエチレン、ＰＥＴ、ＰＥＮ、ナイロン（６ナイロン、１２ナイロン等の一般的なナイロン以外に非晶質ナイロン等を含む）、アクリル、ポリメチルペンテン、ポリスチレン、ＡＢＳ等の材料から構成されるものであり、可視光線透過率が５０％以上となる材料から構成されることが好ましい。
この可視光線透過率が５０％未満の材料を使用した場合は、筆記方向に書いてある文字を有効に視認できないことがあり、好ましくない。更なる良好な視認機能を発揮できるようにするために、５０％以上透過する材料が好ましく、この可視光線透過率が８０％以上であれば、更に良好に視認できるものとなる。なお、可視光線透過率は、多光源測色計を用いて反射率を測定することで求めることができる。
【００５９】
この保持体９５は、上記各材料の一種類、または、耐久性、視認性の更なる向上の点などから、２種類以上の材料を用いて構成することができ、２種類以上の材料で構成する場合は、少なくとも一つが可視光線透過率５０％以上となる材料から構成されているものが好ましく、射出成形、ブロー成形などの各種成形法により成形することができる。
【００６０】
本実施形態では、上述の筆記具Ａ、Ｂと同様に、図１６（ａ）に示すように、保持体９５からの筆記芯となる多孔体７１の先端側の突出量Ｙが０．６５ｍｍ以上、１．０５ｍｍ以下となっており、これにより強い筆記荷重で筆記しても筆記芯となる多孔体７１の先端側の突出量Ｙを極力保持体内面で筆記芯を押さえる構造となるため、筆記性能を損なうことなく、筆記芯の破損を防ぎ耐久性に優れるものとしている。突出量Ｙが、０．６５ｍｍよりも短いと、ペン体を寝かせて筆記する際に、保持体が接触し、筆記できなくおそれがあり、一方、突出量Ｙが、１．０５ｍｍよりも長いと、強い筆記荷重により、筆記性能を損なう可能性がある。なお、図１６（ｄ）に示すＷは筆記芯幅であり、上記突出量Ｙは、上記０．６５ｍｍ以上、１．０５ｍｍ以下であると共に、筆記芯幅Ｗの５０％未満であることが好ましい。
【００６１】
本実施形態では、上述した図７（ｅ）及び（ｇ）と同様に、保持体８０からの筆記芯となる多孔体７１の先端側の突出量Ｙは左右（図面上では上下）で異なるが、本発明では大きい方の突出量をＹとするものであり、上記実施形態と同様に突出量Ｙが０．６５ｍｍ以上、１．０５ｍｍ以下及び／又は筆記芯厚さｔの４０〜６５％とする構成となっている。
本実施形態では、右利きで左から右方向（横方向）に筆記する際、更に、筆記せしめる紙面の方向等を変えることなく、そのまま縦方向に筆記する際にも、突出部（突出量Ｙ）で描線を引くことなどができ、しかも、長さが異なるリブ体９８ａ、９８ｂとで確実に筆記芯の先端側を保持（保護）できるので、強い筆記荷重で筆記しても筆記芯となる多孔体７１の先端側で、極力保持体内面で筆記芯を押さえる構造となるため、筆記性能を損なうことなく、上記図１〜図５等の実施形態などの筆記具と同様に、筆記芯の破損を防ぎ耐久性に優れる筆記具が提供されるものとなる。
【００６２】
また、本発明では、上記実施形態の他、保持体からの筆記芯の先端側の突出量Ｙを筆記芯の厚さｔの４０〜６５％とすることによっても、上述の筆記具Ａ、Ｂと同様に、本発明の効果を発揮できることとなる。筆記芯の先端側の突出量Ｙを筆記芯の厚さｔの４０〜６５％（Ｙ／ｔが４０〜６５％）とすることにより、強い筆記荷重で筆記しても筆記芯となる多孔体７１の先端側の突出量Ｙが筆記芯の厚さとの関係から、筆記芯の強度を更に保持できると共に、突出量Ｙを極力保持体内面で筆記芯を押さえる構造となるため、更に筆記性能を損なうことなく、筆記芯の破損を防ぎ耐久性に優れるものとしている。より好ましくは、筆記芯となる多孔体７１の先端側の突出量Ｙは筆記芯厚さｔの４８〜５８％とすることが望ましい。この突出量Ｙが筆記芯の厚さｔの４０％未満であると、強い筆記荷重により、筆記性能を損なう可能性があり、一方、６５％超過であると、保持体が厚くなり、筆記の際に紙面が見にくくなる。なお、図１６（ｄ）に示すＷは筆記芯幅であり、上記突出量Ｙは、上記筆記芯の厚さｔの４０〜６５％と共に、筆記芯幅Ｗの５０％未満（Ｙ／Ｗが５０％未満）であることが好ましい。
【００６３】
特に好ましい形態としては、保持体からの筆記芯の先端側の突出量Ｙを０．６５ｍｍ以上、１．０５ｍｍ以下及び筆記芯厚さｔの４０〜６５％とすることにより、上述の筆記具Ａ、Ｂと同様に、更に本発明の効果を相乗的に発揮できるものとなる。
また、上記筆記具Ａにおいて、保持体８０からの筆記芯となる多孔体７１の先端側の突出量Ｙを０．６５ｍｍ以上、１．０５ｍｍ以下とすることなく、筆記芯の厚さｔの４０〜６５％とすることによっても、本発明の効果を発揮できることとなる。すなわち、この実施形態でも、筆記芯の先端側の突出量Ｙを筆記芯の厚さｔの４０〜６５％とすることにより、強い筆記荷重で筆記しても筆記芯３０の先端側の突出量Ｙが筆記芯の厚さとの関係から、筆記芯の強度を更に保持できると共に、突出量Ｙを極力保持体内面で筆記芯を押さえる構造となるため、更に筆記性能を損なうことなく、筆記芯の破損を防ぎ耐久性に優れる筆記具が提供されるものとなる。
【００６４】
更に、これらの筆記具Ｃは、上述の如く、筆記芯となる多孔体７１を固着した保持体８０が、視認性を有する材料で構成されているので、当該保持体８０は、筆記方向を視認できる視認部となるものであり、筆記方向に書いてある文字を確実に読むことができる十分な視認性が付与することができると共に、終筆まで使用可能な筆記具が提供されるものとなる。
【００６５】
図１８は、本実施形態の筆記具の全体を示す（キャップを取り外した）状態の一例を示す各図面である。
この形態の筆記具Ｃでは、筆記具の軸筒５０を構成する後軸５１内にインクを吸蔵したインク吸蔵体６０、インク誘導芯７０と筆記部となる多孔体７１を取り付けたペン先８０、先軸５５を順次嵌合等により取り付けることにより、簡単に筆記具Ｃを作製することができるものである。
【００６６】
このように構成される本実施形態の筆記具Ｃでは、インク誘導部９０は保持体９５の略中央部に配置すると共に、インク誘導部９０内にインクを含浸させたインク誘導芯７０を配設したので、インク吸蔵体２０に含浸されたインクが上記インク誘導芯７０のセイン単に一体構成となる筆記部となる多孔体７１へ毛管作用により効率よくインク供給できるものとなり、また、インク誘導部９０にインク誘導芯７０を配設することで、組立性が容易となり、また、筆記具の落下衝撃等による特に強い衝撃があっても、インク誘導芯７０のズレ、脱落等を防止でき、インクカスレを防ぐことができるものとなる。
【００６７】
特に、インク誘導部９０を保持体９５内の長手方向略中央部に形成することにより、筆記部となる多孔体７１に、かたよりなく効率的にインクを供給できるので、更に、終筆まで使用可能な筆記具が提供されるものとなる。また、インク誘導部９０を保持体９５の長手方向略中央部に形成することにより、筆記方向を定め易く、非常に筆記しやすい形状となるものである。更に、保持体５５の上部にリブ体９８ａ、９８ｂを設けることにより、定規で筆記した際に、定規を汚さずに真直ぐな線などを引くこともできる。
【００６８】
本発明の筆記具は、上記実施形態などに限定されることなく、本発明の技術思想を変更しない範囲内で種々変更することができる。
例えば、上記図５〜１０、並びに、図１１の筆記具において、上記図１２の形態の筆記芯３０と保持体４０の形態、すなわち、筆記芯３０を粒子径分布の異なる材料を組み合わせで構成した場合に、インク誘導部３１、３１と筆記部３２との境界部（強度の境界部Ｚ１）を更に確実に保護するために、上述の如く、境界部Ｚ１を前方保持部４４ａ，４４ｂの内部で保持（保護）する構成とすることにより、上記図５〜１０、並びに、図１１の筆記具においても、筆記部３２を含む筆記芯３０の耐久性を更に向上させてもよいものである。
【００６９】
また、上記実施形態において、筆記芯３０を焼結芯タイプの筆記芯について詳述したが、筆記芯３０は焼結体以外に、上述の如く、繊維束体、発泡体、海綿体、フェルト体などであってもよく、筆記芯３０が繊維束や発泡体などからなる筆記芯の場合に、例えば、気孔率、発泡率が低いもの（密度が高いもの）を筆記部３２に用い、気孔率、発泡率が高いもの（密度が低いもの）をインク誘導部３１、３１に用いて筆記芯（繊維束芯）３０として構成してもよく、上記粒子径分布の異なる材料を組み合わせてなる筆記芯と同様に、筆記芯３０の筆記部３２の強度を向上させることができる。なお、上記筆記芯３０を上記各態様（繊維束体、発泡体、海綿体、フェルト体などの強度、気孔率、発泡率等）に変更しても、インク吸蔵体１２からの筆記部３２へのインク供給機構を損なうことなく、インク切れを起こすことなく、好適な量となるインク供給がなされることとなる。
更に、上記各実施形態では、インク吸蔵体２０に吸蔵されたインクを毛管力により筆記芯３０の筆記部３２に効率的に供給せしめる方式（中綿式）の筆記具を示したが、弁機構を備えた筆記具、例えば、筆記具本体となる軸体内に直接インクが収容されたインク室を設けて、インク室と筆記芯との間に弁機構を設け、ペン先方向の押圧移動で弁機構のスプリングの附勢力に抗して弁棒を後退させて弁部を解放してインクの導出を行い、筆記芯にインクを供給する構成の筆記具であってもよいものである。
【００７０】
さらにまた、上記実施形態では、ペン先となる筆記芯３０等が一つのシングルタイプの筆記具を挙げたが、ツインタイプの筆記具、後軸先端に細字タイプの筆記芯からなるペン体を設けて、インク吸蔵体２０のインクを上記ペン体に供給する構成としてもよいものである。
上記実施形態の筆記具Ｃでは、筆記具本体の軸筒などの断面を楕円軸に形成したが、三角形状、四角形以上の方形状などの異形形状、正円形状にしてもよいものである。
また、上記実施形態の筆記具Ｃではインク誘導芯７０により、インク吸蔵体２０から筆記部となる多孔体７１まで一部品でインクを供給するものとしたが、二部品、例えば、インク吸蔵体７０から筒状部８１までを中継多孔体とし、インク誘導部９０内を前記インク誘導芯と同様のインク供給芯との二部品で、インク吸蔵体２０から筆記部となる多孔体へインクを供給してもよいものである。
更に、上記各実施形態では、筆記具用のインク（水性インク、油性インク、熱変色性インク）で説明したが、液状化粧料、液状薬剤、塗布液、修正液などの液状体とし、ペン先を該液状体に併せて、例えば、多孔体を好適な塗布部材用の多孔体を用いてもよいものである。
【実施例】
【００７１】
次に、実施例により、本発明を更に詳述するが、本発明は下記実施例に限定されるものではない。
【００７２】
〔実施例１〕
下記構成及び図６〜図１０に準拠する筆記具、インクを使用した。筆記芯、保持体等の寸法等は下記に示す大きさのものを使用した。
【００７３】
（筆記芯３０の構成）
ＰＥ製焼結芯、気孔率６０％、筆記部３２：Ｗ＝４ｍｍ、ナイフカット状、インク誘導部：φ（ｔ）１．６ｍｍ、突出量Ｙ＝０．８５ｍｍ（ｔの５３％）、突出量Ｙの反対側の突出量Ｙ´＝０．６５ｍｍ（ｔの４０％）、筆記芯幅Ｘ＝１．７５ｍｍ
（保持体４０の構成）
アクリル樹脂製、可視光線透過率８５％〔スガ試験機社製、多光源分光測色計（ＭＳＣ−５Ｎ）にて反射率を測定し、可視光線透過率とした。〕
筆記芯取り付け後の可視部４３（四角形）の大きさ：５ｍｍ×６ｍｍ×３ｍｍ×４ｍｍ
【００７４】
（筆記芯３０、保持体４０以外の筆記具部材の構成）
インク吸蔵体：ＰＥＴ繊維束、気孔率８５％、φ６×７７ｍｍ
筆記具本体、キャップ：ポリプロピレン（ＰＰ）製
【００７５】
（インク組成）
インクとして、下記組成のインク（合計１００質量％）を使用した。
保湿剤：トリメチルグリシン（グリシンベタイン）                    ７．５質量％
ペンタエリスリトール                                      ４．５質量％
着色剤：NKW-4805黄（日本蛍光社製）                              ４０．０質量％
防腐剤：バイオエース（ケイアイ化成社製）                          ０．３質量％
ｐＨ調整剤：トリエタノールアミン                                  １．０質量％
フッ素系界面活性剤：サーフロン8111N（ＡＧＣセイミケミカル社製）   ０．２質量％
水溶性有機溶剤：エチレングリコール                                ３．０質量％
水（溶媒）：イオン交換水                                        ４３．５質量％
【００７６】
この実施例１の筆記具では、保持体４０からの筆記芯３０の先端側の突出量Ｙ＝０．８５ｍｍ（ｔの５３％）となっており、従来の図１３に準拠する筆記芯と保持体の構造の筆記具（三菱鉛筆社製、プロパス・ウインドウ「ＰＵＳ−１０２Ｔ」、突出量Ｙが１．１５ｍｍ超過（ｔの７２％超過）に較べ、特に、右利きで左から右方向に筆記する際に、突出部（突出量）で描線を引くことができ、しかも、過度の荷重をかけても筆記性能を損なうことなく、筆記芯の破損もなく耐久性に優れる筆記具が得られることが確認された。
また、得られた筆記具を用いて、文字の上に筆記したところ、筆記時に可視部を介して向こう側の見え方を目視にて確認したところ、視認性が十分であり、見やすく、筆記方向に書いてある文字を読みながら筆記することができた。
更に、自動筆記装置にこの筆記具をセットして、ＪＩＳ  Ｓ６０３７に準拠した試験方法に従い、上質紙面上で筆記角度６５°、筆記荷重１Ｎ、速度７ｃｍ／ｓ、距離１００ｍで直線筆記後、筆記した描線状態を目視にて確認したところ、上記好ましいインク組成のものを使用しているため、インク流量も良好で、ペン先の乾燥を抑えながらも、描線の乾燥性、インクの低温安定性に優れ、描線に滲みや裏抜けのない機能を発現することがわかった。
【００７７】
〔実施例２〕
下記構成及び図１２（及び図１〜図５）に準拠する筆記具、インクを使用した。筆記芯、保持体等の寸法等は下記に示す大きさのものを使用した。
【００７８】
（筆記芯３０の構成）
ＰＥ製焼結芯、筆記部３２（Ｚ部分）：気孔率７０％（粒子径が小さいＰＥ粒子）、Ｗ＝４ｍｍ、ナイフカット状、インク誘導部等：気孔率５０％（粒子径が大きいＰＥ粒子）、φ：ｔ＝１．６５ｍｍ、突出量Ｙ＝１．０５ｍｍ、筆記芯幅Ｘ＝２．５０ｍｍ、Ｚ＝２．０ｍｍ（保持体４０の構成、筆記芯３０、保持体４０以外の筆記具部材の構成、インク組成）
上記実施例１と同じ構造、組成のものを用いた。
【００７９】
この実施例２の筆記具では、保持体４０からの筆記芯３０の先端側の突出量Ｙ＝１．０５ｍｍ（ｔの６４％、筆記芯幅Ｘの４２％）、Ｚ＝２．０ｍｍ（Ｚ＞Ｙ）となっており、実施例１の筆記具よりも、過度の荷重をかけても筆記性能を損なうことなく、境界部Ｚ１は前方保持部４４ａ，４４ｂの内部で確実に保持（保護）されるので、筆記芯の破損もなく耐久性に優れる筆記具が得られることが確認された。また、得られた筆記具を用いて、文字の上に筆記したところ、筆記時に可視部を介して向こう側の見え方を目視にて確認したところ、視認性が十分であり、見やすく、筆記方向に書いてある文字を読みながら筆記することができた。
更に、自動筆記装置にこの筆記具をセットして、ＪＩＳ  Ｓ６０３７に準拠した試験方法に従い、上質紙面上で筆記角度６５°、筆記荷重１Ｎ、速度７ｃｍ／ｓ、距離１００ｍで直線筆記後、筆記した描線状態を目視にて確認したところ、上記好ましいインク組成のものを使用しているため、実施例１と同様に、インク流量も良好で、ペン先の乾燥を抑えながらも、描線の乾燥性、インクの低温安定性に優れ、描線に滲みや裏抜けのない機能を発現することがわかった。
【産業上の利用可能性】
【００８０】
本発明の筆記具では、アンダーラインペン、ペイントマーカー、油性マーカー、水性マーカーと呼ばれるタイプの筆記具に好適に使用することができる。
【符号の説明】
【００８１】
Ａ  筆記具
１０  軸体
１１  後軸
１５  先軸
２０  インク吸蔵体
３０  筆記芯
４０  保持体
５０  キャップ
Ｘ  筆記芯幅
Ｙ  突出量
ｔ  筆記芯厚さ
【図１】
2018034508.tif 000003
【図２】
2018034508.tif 000004
【図３】
2018034508.tif 000005
【図４】
2018034508.tif 000006
【図５】
2018034508.tif 000007
【図６】
2018034508.tif 000008
【図７】
2018034508.tif 000009
【図８】
2018034508.tif 000010
【図９】
2018034508.tif 000011
【図１０】
2018034508.tif 000012
【図１１】
2018034508.tif 000013
【図１２】
2018034508.tif 000014
【図１３】
2018034508.tif 000015
【図１４】
2018034508.tif 000016
【図１５】
2018034508.tif 000017
【図１６】
2018034508.tif 000018
【図１７】
2018034508.tif 000019
【図１８】
2018034508.tif 000020
【図１９】
2018034508.tif 000021
【図２０】
2018034508.tif 000022